【事件の表示】
　特願２０１４−５１３３３９「撮像装置」拒絶査定不服審判事件〔平成２５年１１月　７日国際公開、ＷＯ２０１３／１６４９１５〕について、次のとおり審決する。
【結　論】
　本件審判の請求は、成り立たない。
【理　由】
第１　手続の経緯
　本願は、平成２５年５月２日（国内優先権主張　平成２４年５月２日、平成２４年６月２０日、平成２４年６月２５日、平成２４年７月３日、平成２４年７月３日）の出願であって、平成２８年４月２１日付けで手続補正がされ、平成２９年６月１９日付けで拒絶理由が通知され、平成２９年１０月２６日付けで意見書が提出されるとともに手続補正がされ、平成３０年３月２日付けで最後の拒絶理由が通知され、平成３０年４月３日付けで意見書が提出されたが、平成３０年５月１６日付けで拒絶査定がされ、これを不服として平成３０年８月１７日に本件審判請求がされ、同時に手続補正がされ、その後、当審により、令和１年８月２０日付けで拒絶理由が通知され、令和１年１０月２８日付けで意見書が提出されるとともに手続補正がされたものである。
第２　本願発明
　本願発明は、令和１年１０月２８日付け手続補正により補正された特許請求の範囲の請求項１ないし１６に記載された事項により特定されるものであるところ、その請求項１に係る発明（以下、「本願発明」という）は次のとおりである。なお、本願発明の各構成について（Ａ）〜（Ｆ）の符号を付し、以下、構成Ａ〜Ｆと称する。
［本願発明］
（Ａ）１つ以上の画素を有する第１グループと、前記第１グループから行方向側の位置に配置され、前記第１グループを構成する画素とは異なる画素を１つ以上有する第２グループと、を有する撮像部と、
（Ｂ）前記撮像部が有する画素から信号を読み出す読み出し部と、
（Ｃ）前記読み出し部により読み出された信号から生成される画像に基づいて被写体を検出する検出部と、
（Ｄ）前記検出部により検出された被写体が前記第１グループで撮像された場合、前記検出部により検出された被写体の速度に基づいて、前記第１グループが有する画素から信号を読み出すフレームレートを、前記第２グループが有する画素から信号を読み出すフレームレートとは異なるフレームレートになるように制御する制御部と、を備え、
（Ｅ）前記制御部は、前記第１グループと前記第２グループとにそれぞれ異なる制御信号を出力することにより、前記第１グループのフレームレートと前記第２グループのフレームレートとをそれぞれ制御する
（Ｆ）撮像素子。
第３　当審により通知した拒絶理由の概要
　当審が通知した拒絶理由のうち、請求項１に対する理由１の概要は、次のとおりのものである。
「この出願の請求項１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
 　　　　　　　　　　　　　　　　　　記
１．特開２００７−２２８０１９号公報
２．特開２００７−１３４９９１号公報」
第４　引用文献、引用発明
１．引用文献１の記載事項
　当審により通知した拒絶理由で引用された特開２００７−２２８０１９号公報（以下、「引用文献１」という）には、図面とともに次の事項が記載されている。なお、下線は、当審により付与したものである。
「【発明の名称】撮像装置」
「【技術分野】
【０００１】
　本発明は、撮像素子の受光領域から信号を読み出す際の読み出し方法の改善を図った撮像装置に関する。
【背景技術】
【０００２】
　用途に応じてフレームレートを変更することが可能な
撮像装置
動画撮影の際、
【特許文献１】特許第３１２９５９９号公報
【発明の開示】
【発明が解決しようとする課題】
【０００３】
　このとき、１フレーム画像中の全てのエリアを同一のフレームレートで撮影する必要がないことも多い。例えば、ほぼ静止している背景の中で特定の被写体が動くとき等である。
動く被写体のスピードに応じて、高速フレームレートで撮影したい
場合、撮影期間中にほとんど動きのない背景に対しても、ほぼ同一の映像データを数フレームにわたり何度も取得し、立て続けに後段の回路で処理することになる
【０００４】
　
この結果、
処理スピードが追いつかなくなってしまう
【０００５】
　
さらに、記録の点では、
記録の仕方が効率良いとは言い難い
【０００６】
　フレームレートを変化させることができる撮像装置のみではなく、単純に高速撮影を行う撮像装置など、具備する圧縮や記録等の信号処理手段の能力を凌駕する撮像能力を有した撮像装置には、常に上述のような問題が潜在している。
【０００７】
　本発明は、上述した問題点に鑑みてなされたものであって、信号処理に破綻を来たすことなく高速フレームレートで撮像することができる撮像装置を提供することを目的とする。
【課題を解決するための手段】
【０００８】
　本発明は、
上記の課題を解決するために
受光領域に入射した光を光電変換し、前記受光領域から信号を読み出して撮像信号として出力する撮像素子と、前記受光領域に複数の撮像領域を設定する分割領域設定手段と、前記撮像領域毎にフレームレートを設定するフレームレート設定手段と、前記フレームレート設定手段によって設定されたフレームレートに応じて、前記受光領域から信号を読み出すタイミングを前記撮像領域毎に制御する読出し制御手段とを有することを特徴とする撮像装置
「【発明の効果】
【００１４】
　本発明によれば、撮像領域毎に異なるフレームレートの撮像信号を得ることが可能となるので、撮像領域毎に単位時間当たりの画像情報量を調整することで、信号処理に破綻を来たすことなく高速フレームレートで撮像することができるという効果が得られる。」
「【発明を実施するための最良の形態】
【００１５】
　以下、図面を参照し、本発明の実施形態を説明する。まず、本発明の第１の実施形態を説明する。図１は、本実施形態による撮像装置の構成を示している。撮像素子１は、受光領域に入射した光を光電変換し、受光領域から信号を読み出して撮像信号として出力する。
撮像素子１の受光領域は２つの領域（撮像領域Ａ，Ｂ）に分割されている。
【００１６】
　この
撮像素子１からの信号読出しは、分割領域設定手段２、フレームレート設定手段３、読出し制御手段４により制御される。分割領域設定手段２は撮像素子１の受光領域に複数の撮像領域を設定する。
フレームレート設定手段３は、分割領域設定手段２によって設定された撮像領域毎にフレームレートを設定する。読出し制御手段４は、フレームレート設定手段３によって設定されたフレームレートに応じて、受光領域から信号を読み出すタイミングを撮像領域毎に制御する
「【００３１】
　動き検出および動き量計算部１６は、画像メモリ１８に記憶された被圧縮データを読み出して撮影した画像の動きを検出するとともに、画面の動き量を算出し、積算動き量とあらかじめ設定した動き閾値ＭＴＨとを比較してフレームレートを決定し、決定したフレームレート情報を画像圧縮部１７に出力する。
【００３２】
　本実施形態では、
受光領域を
水平方向に分割することもできる。
【００３３】
　上述したように、本実施形態によれば、撮像領域毎に異なるフレームレートの撮像信号を得ることが可能となる。撮像領域毎に単位時間当たりの画像情報量を調整することで、撮像装置自体が有するフレーム単位での圧縮処理能力や記録能力等に対応して、信号処理に破綻を来たすことなく高速フレームレートで撮像することができる。また、例えばフレームレートを高速化することで、後段の信号処理の負荷が増大するが、撮影者の意図として、１フレーム内のうち撮影効果を求めない領域に対してはフレームレートを下げるなど、撮像領域毎に個別に情報量を設定することで、信号処理の軽減を図ることができる。
【００３４】
　次に、本発明の第２の実施形態を説明する。図４は、本実施形態によるフレームレート設定手段３ａの構成を示している。図示しない設定キーあるいはＰＣからのリモート制御等により、
ユーザが所定の情報を入力することで、撮像領域Ａ，Ｂそれぞれのフレームレートの情報がフレームレート設定テーブル生成手段３１に入力される。フレームレート設定テーブル生成手段３１は、入力された情報に基づいて、撮像領域毎の各フレームのフレームレートの一覧であるフレームレート設定テーブルを生成し、読出し制御手段４へ出力する。これによって、撮影フレーム単位で各領域のフレームレートを個別に変化させることが可能になる
【００３５】
　図５はフレームレート設定の一例を示している。図５において、撮像領域Ａではａ［ｆｐｓ］のフレームレートで撮影が開始され、ｎフレーム撮影した後、フレームレートがｘ［ｆｐｓ］になる。また、撮影領域Ｂでは、ｂ［ｆｐｓ］のフレームレートから撮影が開始され、ｎフレーム撮影した後、フレームレートがｘ［ｆｐｓ］になる。フレームレートの変更は、第１の実施形態で示したように、水平・垂直ブランキング期間の長さを変更することにより実現される。
【００３６】
　フレームレートを、α［ｆｐｓ］からスタートしてβ秒後にγ［ｆｐｓ］にする場合、ユーザは、例えば、（α，β，γ）のパラメータを設定すればよい。フレームレート設定テーブル生成手段３１には、これらのパラメータの値が通知される。フレームレート設定テーブル生成手段３１は、これらのパラメータの値に基づいて、図５のようなフレームレート変化を表すテーブルを作成し、これをパルスあるいはレジスタデータとして読出し制御手段４が展開できる情報として出力する。読出し制御手段４は、フレームレート設定手段３ａから受けた情報に基づいて、撮像素子１の読出しを制御する。」
２．引用発明
（１）引用文献１には、【０００２】−【０００５】の下線部の記載によれば、
　撮像装置による動画撮影の際、動く被写体のスピードに応じて、高速フレームレートで撮影したい場合、撮影期間中にほとんど動きのない背景に対しても、ほぼ同一の映像データを数フレームにわたり何度も取得し、立て続けに後段の回路で処理することになり、この結果、処理スピードが追いつかなくなってしまい、さらに、記録の点では効率良いとは言い難いという課題があることが記載されている。
（２）引用文献１には、【０００８】の下線部の記載によれば、上記の課題を解決するための具体的な装置として、
　受光領域に入射した光を光電変換し、前記受光領域から信号を読み出して撮像信号として出力する撮像素子と、
　前記受光領域に複数の撮像領域を設定する分割領域設定手段と、
　前記撮像領域毎にフレームレートを設定するフレームレート設定手段と、
　前記フレームレート設定手段によって設定されたフレームレートに応じて、前記受光領域から信号を読み出すタイミングを前記撮像領域毎に制御する読出し制御手段と
　を有することを特徴とする撮像装置が記載されている。
（３）また、引用文献１には、【００１５】、【００１６】、【００３２】の下線部の記載によれば、上記撮像装置をより特定した、
　撮像素子１の受光領域は２つの領域（撮像領域Ａ，Ｂ）に分割されており、
　撮像素子１からの信号読出しは、分割領域設定手段２、フレームレート設定手段３、読出し制御手段４により制御され、
　分割領域設定手段２は撮像素子１の受光領域に複数の撮像領域を設定し、
　フレームレート設定手段３は、分割領域設定手段２によって設定された撮像領域毎にフレームレートを設定し、
　読出し制御手段４は、フレームレート設定手段３によって設定されたフレームレートに応じて、受光領域から信号を読み出すタイミングを撮像領域毎に制御し、
　受光領域を水平方向に分割することもできるもの（第１の実施形態）が記載されている。
（４）さらに、引用文献１には、【００３４】の下線部の記載によれば、上記第１の実施形態のフレームレート設定手段３をフレームレート設定手段３ａとしてより特定した、
　フレームレート設定手段３ａは、ユーザが所定の情報を入力することで、撮像領域Ａ，Ｂそれぞれのフレームレートの情報がフレームレート設定テーブル生成手段３１に入力され、
　フレームレート設定テーブル生成手段３１は、入力された情報に基づいて、撮像領域毎の各フレームのフレームレートの一覧であるフレームレート設定テーブルを生成し、読出し制御手段４へ出力し、
　これによって、撮影フレーム単位で各領域のフレームレートを個別に変化させることが可能になるもの（第２の実施形態）が記載されている。
（５）以上、（１）〜（４）をまとめると、引用文献１には、次の発明（以下、「引用発明」という。）が記載されていると認められる。なお、引用発明の各構成について符号を付し、以下、構成ア〜構成サと称する。
［引用発明］
（ア）撮像装置で動画撮影の際、動く被写体のスピードに応じて、高速フレームレートで撮影したい場合、撮影期間中にほとんど動きのない背景に対しても、ほぼ同一の映像データを数フレームにわたり何度も取得し、立て続けに後段の回路で処理することになり、この結果、処理スピードが追いつかなくなってしまい、さらに、記録の点では効率良いとは言い難いという課題を解決するため、
（イ）受光領域に入射した光を光電変換し、前記受光領域から信号を読み出して撮像信号として出力する撮像素子と、
（ウ）前記受光領域に複数の撮像領域を設定する分割領域設定手段と、
（エ）前記撮像領域毎にフレームレートを設定するフレームレート設定手段と、
（オ）前記フレームレート設定手段によって設定されたフレームレートに応じて、前記受光領域から信号を読み出すタイミングを前記撮像領域毎に制御する読出し制御手段と
（カ）を有することを特徴とする撮像装置であって、
（キ）撮像素子１の受光領域は２つの領域（撮像領域Ａ，Ｂ）に分割されており、
（ク）撮像素子１からの信号読出しは、分割領域設定手段２、フレームレート設定手段３、読出し制御手段４により制御され、
（ケ）分割領域設定手段２は撮像素子１の受光領域に複数の撮像領域を設定し、
（コ）フレームレート設定手段３は、分割領域設定手段２によって設定された撮像領域毎にフレームレートを設定し、
（サ）読出し制御手段４は、フレームレート設定手段３によって設定されたフレームレートに応じて、受光領域から信号を読み出すタイミングを撮像領域毎に制御し、
（シ）受光領域を水平方向に分割することもでき、
（ス）フレームレート設定手段３ａは、
（セ）ユーザが所定の情報を入力することで、撮像領域Ａ，Ｂそれぞれのフレームレートの情報がフレームレート設定テーブル生成手段３１に入力され、
（ソ）フレームレート設定テーブル生成手段３１は、入力された情報に基づいて、撮像領域毎の各フレームのフレームレートの一覧であるフレームレート設定テーブルを生成し、読出し制御手段４へ出力し、
（タ）これによって、撮影フレーム単位で各領域のフレームレートを個別に変化させることが可能になる、
（チ）撮像装置。
３．引用文献２の記載事項
　当審により通知した拒絶理由で引用された特開２００７−１３４９９１号公報（以下、「引用文献２」という）には、図面とともに次の事項が記載されている。なお、下線は、当審により付与したものである。
「【技術分野】
【０００１】
　本発明は、連続画像を処理する画像信号処理装置、撮像装置、および画像信号処理方法に関するものである。」
「【０００５】
　一方、
連続画像を動画として記録する場合
　このため、各フレーム間の動きの増減にかかわらず常に各フレームをコマ落ちすることなく記録することが要求される。
　つまりこの方法においても、
フレーム間の動きがほとんどなく非常に似た画像同士であっても、フレームレート一定のため、高フレームレートになると記録データ量の増加
　たとえば、MotionJPEGやMPEG系のコーデック（Codec）がこれに当たる。」
「【０００７】
　このように、従来技術でさらに記録データ量を削減するためには、以下の問題点がある。
　静止画として記録する方法では、フレーム間の相関性が利用できない。
　動画として記録する方法では、フレーム間の動き量の増減によらずに常に一定のフレームレートとなってしまう。
【０００８】
　また、既存の動画記録方式(MotionJPEG, MPEG2/4/H.264 AVC, etc)では、フレームレートは予め静的な値(30fps/60fps etc)に固定されている。
　したがって、一般的な画像撮像装置においては、動画で秒間あたり30または60フレーム記録であり、高速で移動する物体に対して、滑らかな画像を記録することができない。
　また、静止画画像における連写機能は手動で行うため、
高速で移動する物体
【０００９】
　本発明は、
動き量に応じて適応的（動的）にフレームレートを増減させることができ
滑らかな動画記録
高速物体
を可能にする
撮像装置
「【００３１】
  動き検出および動き量計算部１６は、画像メモリ１８に記憶された被圧縮データを読み出して
撮影した画像の動きを検出するとともに、
【００３２】
　動き検出および動き量計算部１６における動き量の算出、たとえば図２（Ａ）に示すように行われる。
　図２（Ａ）の例は、車が図中の右方向へ直線的に加速しながら発車するシーンを見た図である。
　このような場合、移動する車に着目すると
一定時間内に車が動いた量を動き量と定義する
　たとえば、車が発車していない相対的な時刻Ｔ＝０のときを動き量を「０」、発車後の時刻Ｔ＝１０のときの動き量を「１０」、時刻Ｔ＝２０のときの動き量を「２０」、時刻Ｔ＝３０のときの動き量を「４０」、時刻Ｔ＝４０のときの動き量を「８０」として定義することができる。
【００３３】
　このように、本実施形態に係る動き検出および動き量計算部１６は、
動き量の時間的積算量からフレームレートの設定値を算出する
　動き検出および動き量計算部１６は、画面の動き量の大きさを、フレームレートの設定に反映させる機能を有し、たとえば、前画面のフレームレートを参照に現フレームレートを決定する機能を有する。
　動き検出および動き量計算部１６は、
積算動き量とあらかじめ設定した動き閾値ＭＴＨと比較してフレームレートを決定する
　動き閾値ＭＴＨは、たとえば操作デバイス２２のスイッチ操作により、たとえばＣＰＵ２１のレジスタに設定される。
　動き閾値ＭＴＨは、たとえば５０、１００、２００、４００等の値に設定され、図２（Ａ）のように動き量に応じた積算動き量と比較されて、フレームレートが決定される。」
「【図２】
」
「【００４６】
　図８は、本発明の第２の実施形態に係るカメラシステムの構成例を示すブロック図である。
【００４７】
　本第２の実施形態のカメラシステム１０Ａが第１の実施形態のカメラシステム１０と異なる点は、ＣＰＵ２１Ａによって、
イメージセンサ１２Ａを制御可能としてフレームレートを自動的に上げるように構成した
【００４８】
　さらに具体的には、本カメラシステム１０Ａは、基本構成は図１と略同様であり、高フレームレートでの撮影を行う機能と、各フレーム間の動き量を算出する機能と、各フレーム時点での動き量を積算・蓄積する機能と、一定時間の高フレームレート撮影データを一時的に保存できるデータ領域を備えており、
撮影画像の動き量積算値が一定量に達した時点で、自律的に高フレームレート撮影を開始する
　また、カメラシステム１０Ａは、撮影可能範囲に入ってきた高速の移動物体を、その移動量、大きさなどから撮影に値する物体であるとの判断を下すための判定基準値を各フレームごとに算出する機能（アルゴリズム）を備えている。
　また、カメラシステム１０Ａは、
高フレームレート撮影を実行中に、撮影画像の動き量を算出・監視し、動き量の一定以上の減衰が認められた場合は、高フレームレート撮影を停止する
【００４９】
　動き検出および動き量計算部１６の機能は、第１の実施形態と同様であり、動き量の時間的積算量からフレームレートの設定値を算出する。
　動き検出および動き量計算部１６は、画面の動き量の大きさを、フレームレートの設定に反映させる機能を有し、たとえば、前画面のフレームレートを参照に現フレームレートを決定する機能を有する。
　動き検出および動き量計算部１６は、積算動き量とあらかじめ設定した動き閾値ＭＴＨと比較してフレームレートを決定する。
　そして、ＣＰＵ２１Ａがイメージセンサ１２Ａの制御を行う。
【００５０】
　以下に、動き量が動き閾値ＭＴＨとの比較に応じたＣＰＵ２１Ａの制御例を図９〜図１１に関連付けて説明する。
【００５１】
　まず、図９のフローチャートに関連付けて第１制御例を説明する。
　この場合、撮像画像内に動き量が動き閾値ＭＴＨを超えた時点から（ＳＴ１１）、制御ＣＰＵ２１Ａを介してイメージセンサ１２Ａに対してフレームレートを上げる指示を与え（ＳＴ１２）、撮像および記録のフレームレートを自動的に上げる。
　次に、撮像画像内の動き量が動き閾値ＭＴＨを下回った時点から（ＳＴ１３）、制御ＣＰＵ２１Ａを介し、イメージセンサ１２Ａに対してフレームレートを通常値に戻す指示を与え、撮像および記録のフレームレートを通常値に戻す（ＳＴ１４）。」
「【図８】
」
「【図９】
」
４．引用文献２に記載された技術
　引用文献２には、【０００５】、【０００８】、【０００９】、【００３１】−【００３３】、【００４６】−【００５１】（特に下線部）の記載、及び、【図２】、【図８】、【図９】によれば、次の技術が記載されていると認められる。
　連続画像を動画として記録する場合、フレーム間の動きがほとんどなく非常に似た画像同士であっても、フレームレート一定のため、高フレームレートになると記録データ量が増加することを課題として、
　撮像装置において、動き量に応じて適応的（動的）にフレームレートを増減させ、滑らかな動画記録を可能にする技術であって、
　撮影した画像の動きを検出するとともに、一定時間内に高速物体が動いた量である動き量の時間的積算量である積算動き量とあらかじめ設定した動き閾値ＭＴＨとを比較してフレームレートを決定し、イメージセンサを制御可能としてフレームレートを自動的に上げるように構成し、撮影画像の動き量積算値が一定量に達した時点で、自律的に高フレームレート撮影を開始し、高フレームレート撮影を実行中に、撮影画像の動き量を算出・監視し、動き量の一定以上の減衰が認められた場合は、高フレームレート撮影を停止する技術。
第５　本願発明と引用発明との対比
１．本願発明の構成Ａについて
　構成イ、構成キ、構成シによれば、引用発明の「撮像領域Ａ」、「撮像領域Ｂ」、「撮像素子」は、それぞれ、本願発明の「１つ以上の画素を有する第１グループ」、「前記第１グループから行方向側の位置に配置され、前記第１グループを構成する画素とは異なる画素を１つ以上有する第２グループ」、「撮像部」に相当する。
　よって、本願発明と引用発明とは、構成Ａの点で一致する。
２．本願発明の構成Ｂについて
　構成イによれば、引用発明は、「受光領域から信号を読み出して撮像信号として出力する」から、本願発明の構成Ｂの「前記撮像部が有する画素から信号を読み出す読み出し部」に相当する構成を備えている。
　よって、本願発明と引用発明とは、構成Ｂの点で一致する。
３．本願発明の構成Ｃ、Ｄについて
　引用発明は、本願発明の構成Ｃに相当する構成を備えていない。
　構成オ、構成ケ、構成コ、構成サによれば、引用発明は、複数の撮像領域毎に設定されたフレームレートに応じて、受光領域から信号を読み出すタイミングを撮像領域毎に制御する読出し制御手段を有するから、本願発明の構成Ｄのうち、「前記第１グループが有する画素から信号を読み出すフレームレートを、前記第２グループが有する画素から信号を読み出すフレームレートとは異なるフレームレートになるように制御する制御部」に相当する構成（以下、構成Ｄ’という。）を備えている。
　よって、本願発明と引用発明とは、構成Ｄ’の点では共通する。
　しかしながら、本願発明は、構成Ｄを備えるのに対し、引用発明は、「制御部」が、「前記検出部により検出された被写体が前記第１グループで撮像された場合、前記検出部により検出された被写体の速度に基づいて」制御するものではなく、構成ス、構成セ、構成ソ、構成タによれば、ユーザが入力した所定の情報に基づくフレームレート設定テーブルの出力により制御するものである点で相違する。
４．本願発明の構成Ｅについて
　構成ス、構成セ、構成ソ、構成タによれば、引用発明の「フレームレート設定手段３ａ」は、撮像領域Ａ，Ｂそれぞれのフレームレートの情報に基づいて、各領域のフレームレートを個別に変化させることが可能なものであるから、このことは、本願発明の構成Ｅの「前記制御部は、前記第１グループと前記第２グループとにそれぞれ異なる制御信号を出力することにより、前記第１グループのフレームレートと前記第２グループのフレームレートとをそれぞれ制御する」ことに相当する。
　よって、本願発明と引用発明とは、構成Ｅの点で一致する。
５．本願発明の構成Ｆについて
　構成チの「撮像装置」は、本願発明の構成Ｆの「撮像素子」に相当する。
　よって、本願発明と引用発明とは、構成Ｆの点で一致する。
６．一致点、相違点
　以上によれば、本願発明と引用発明との間には、次の一致点、相違点があるといえる。
［一致点］
（Ａ）１つ以上の画素を有する第１グループと、前記第１グループから行方向側の位置に配置され、前記第１グループを構成する画素とは異なる画素を１つ以上有する第２グループと、を有する撮像部と、
（Ｂ）前記撮像部が有する画素から信号を読み出す読み出し部と、
（Ｄ’）前記第１グループが有する画素から信号を読み出すフレームレートを、前記第２グループが有する画素から信号を読み出すフレームレートとは異なるフレームレートになるように制御する制御部と、を備え、
（Ｅ）前記制御部は、前記第１グループと前記第２グループとにそれぞれ異なる制御信号を出力することにより、前記第１グループのフレームレートと前記第２グループのフレームレートとをそれぞれ制御する
（Ｆ）撮像素子。
［相違点］
　本願発明は、
「（Ｃ）前記読み出し部により読み出された信号から生成される画像に基づいて被写体を検出する検出部と、
（Ｄ）前記検出部により検出された被写体が前記第１グループで撮像された場合、前記検出部により検出された被写体の速度に基づいて、前記第１グループが有する画素から信号を読み出すフレームレートを、前記第２グループが有する画素から信号を読み出すフレームレートとは異なるフレームレートになるように制御する制御部と、」
を備えるのに対し、
　引用発明は、
「（Ｃ）前記読み出し部により読み出された信号から生成される画像に基づいて被写体を検出する検出部」を備えておらず、
「（Ｄ’）前記第１グループが有する画素から信号を読み出すフレームレートを、前記第２グループが有する画素から信号を読み出すフレームレートとは異なるフレームレートになるように制御する制御部」
を備えるとはいえるものの、
該制御部は、「前記検出部により検出された被写体が前記第１グループで撮像された場合、前記検出部により検出された被写体の速度に基づいて」制御するものではなく、ユーザが入力した所定の情報に基づくフレームレート設定テーブルの出力により制御するものである点。
第６　判断
　相違点について検討する。
　引用発明と引用文献２に記載された技術は、動く被写体（高速物体）の動画撮影の際の、数フレームにわたりほとんど動きのない情報を記録する際の課題を解決するために、被写体の動きに応じてフレームレートを変化させる技術である点で、共通の課題及び共通の技術を有するものであるから、引用発明に引用文献２に記載の技術を採用することには動機付けがあるといえる。
　よって、引用発明の、ユーザが入力した所定の情報に基づく制御に代えて、上記引用文献２に記載された技術を適用し、分割領域設定手段によって設定された撮像領域のフレームレートの制御を、撮影した画像の動きを検出するとともに、一定時間内に高速物体が動いた量である動き量の時間的積算量である積算動き量とあらかじめ設定した動き閾値ＭＴＨとを比較してフレームレートを決定し、イメージセンサを制御可能としてフレームレートを自動的に上げるように構成し、撮影画像の動き量積算値が一定量に達した時点で、自律的に高フレームレート撮影を開始し、高フレームレート撮影を実行中に、撮影画像の動き量を算出・監視し、動き量の一定以上の減衰が認められた場合は、高フレームレート撮影を停止する制御とすることは、当業者が容易に想到し得ることである。そして、一定時間内に高速物体（被写体）が動いた量である動き量を得る際に、周知の「被写体を検出する検出部」を備えることは適宜なし得ることである。
　ここで、引用発明に引用文献２に記載された技術を適用した発明における、高フレームレート撮影を実行中である分割領域、及び、高フレームレート撮影を実行中でない分割領域は、それぞれ、本願発明の構成Ｄの「第１グループ」、「第２グループ」に相当するといえる。さらに、引用発明に引用文献２に記載された技術を適用した発明における、高フレームレート撮影を実行中である分割領域のフレームレートは、「被写体の速度に基づいて」、高フレームレート撮影を実行中でない分割領域のフレームレートとは「異なるフレームレートになるように」制御するといえる。
　したがって、引用発明において、引用文献２に記載された技術を適用し、「（Ｃ）前記読み出し部により読み出された信号から生成される画像に基づいて被写体を検出する検出部と、（Ｄ）前記検出部により検出された被写体が前記第１グループで撮像された場合、前記検出部により検出された被写体の速度に基づいて、前記第１グループが有する画素から信号を読み出すフレームレートを、前記第２グループが有する画素から信号を読み出すフレームレートとは異なるフレームレートになるように制御する制御部と、」を備えるようにすることは、当業者が容易に想到し得ることである。また、そのことにより奏する効果は当業者が予測し得るものである。
　以上のことから、本願発明は、引用発明および引用文献２に記載された技術に基づいて当業者が容易に発明をすることができたものである。
第７　むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。